(57)【要約】 【課題】  着火操作子の不用意な駆動によってはガス燃焼炎を生じないガスライタを提供。【解決手段】  ガス放出ノズル１に燃料ガスを送気する燃料ガス放出弁を持つ燃料槽２と、燃料ガス放出弁を開駆動するガス放出レバー３と、ガス放出ノズル１からその上方の炎口４ａに出る燃料ガスを点火する点火機構５ａ，５ｂと、指によって駆動されてガス放出レバー３をガス放出弁を開く方向に駆動する操作子６，１１と、を備えるガスライタにおいて、操作子６，１１にロック位置とアンロック位置に移動可能に装備されロック位置において炎口４ａに係合して操作子６，１１の前記駆動を阻止しアンロック位置において炎口４ａから外れて該阻止を解除するロック部材７、および、ロック部材７をロック位置に強制するばね部材８ａ／８ｂを含む安全機構４ａ，７，８ａ／８ｂ、を備えることを特徴とする。【選択図】  図１
2011153773.tif 000002
【特許請求の範囲】
【請求項１】
ガス放出ノズルに燃料ガスを送気する燃料ガス放出弁を持つ燃料槽と、前記燃料ガス放出弁を開駆動するガス放出レバーと、前記ガス放出ノズルからその上方の炎口)に出る燃料ガスを点火する点火機構と、指によって駆動されて前記ガス放出レバーをガス放出弁を開く方向に駆動する操作子と、を備えるガスライタにおいて、
前記操作子にロック位置とアンロック位置に移動可能に装備されロック位置において前記炎口に係合して前記操作子の前記駆動を阻止しアンロック位置において前記炎口から外れて該阻止を解除するロック部材、および、該ロック部材を前記ロック位置に強制するばね部材を含む安全機構、を備えることを特徴とするガスライタ。
【請求項２】
操作子は、回動上蓋を含み；前記ロック部材は、前記炎口の中心軸に対して直角方向に延びる軸に関して回動可能に支持され、前記炎口に対して挿脱する係合部を持ち；前記ばね部材は、前記軸を中心に前記ロック部材を、前記係合部を前記炎口に嵌め込む方向に回動強制する；請求項１に記載のガスライタ。
【請求項３】
前記ロック部材の、前記係合部が前記炎口から抜ける方向の回動と、前記操作子の蓋開方向の回動とは、同方向である請求項２に記載のガスライタ。
【請求項４】
前記ロック部材の、使用者がアンロック位置に駆動するときの指当て部が、前記操作子の、使用者がガス放出弁を開くために駆動するときの指当て部よりも突出した；請求項３に記載のガスライタ。
【請求項５】
前記ばね部材は、板状部を持つばねである；請求項１乃至４のいずれか１つに記載のガスライタ。
【請求項６】
前記ばね部材は、圧縮コイルスプリングである；請求項１乃至４のいずれか１つに記載のガスライタ。
【発明の詳細な説明】
【技術分野】
【０００１】
本発明は、手持ちガスライタに関し、特に、人（例えば子供）が着火操作子を安易にいじることによるガス燃焼炎の発生を防止する機構を備える、いわゆる安全ガスライタ、に関する。本発明は、紙巻タバコ，葉巻などに火をつけるガスライタ（ポケットライタ）および燭台，薪，焚火の火付け材等に火をつけるガスライタ（着火具）に実施することができる。
【背景技術】
【０００２】
この種のガスライタの着火操作子は多様である。例えば着火操作子が、フリント発火機構周りあるいは放電火花により燃料ガスを点火する電極周りを覆うケース蓋の場合は、人がこのケース蓋を開くことにより、まずガス放出レバーが弁開方向に駆動されて燃料タンクのガス放出弁が開き、そしてフリント火花または電気火花（スパーク）がガスを点火する。また、着火操作子が押ボタン又はスライドボタンの場合は、人がこの押ボタンを押し下げる又は横スライドすることにより、ガス放出レバーが弁開方向に駆動されて燃料タンクのガス放出弁が開き、そして電気火花がガスを点火する（例えば特許文献１）。
【先行技術文献】
【特許文献】
【０００３】
【特許文献１】特開２００４−１１６８４９号公報
【発明の概要】
【発明が解決しようとする課題】
【０００４】
幼児あるいは年少者が、父親など身近な人のガスライタ使用を真似してガスライタをいじって、思わぬガス燃焼炎の発生により、やけどをしあるいは火災を発生することがある。このような事故を防ぐために、着火操作子が単純操作では着火移動しないように、ロック機構を設けることが推奨されている。特許文献１のガスライタは、押ボタンロック機構を備えて、押ボタンを横スライド（アンロック操作）することにより押ボタンをアンロック位置にしてからでないと、着火のための押下（着火操作）ができないようにしている。
【０００５】
ところで、着火操作子の機械的なロック機構は、細かな機構であり、強い力が加わるとロック機構がへたりあるいは破壊されて着火操作が可能になってしまうことがある。
【０００６】
本発明は、ロック機構を頑丈にすることを目的とする。
【課題を解決するための手段】
【０００７】
（１）ガス放出ノズル(1)に燃料ガスを送気する燃料ガス放出弁を持つ燃料槽(2)と、前記燃料ガス放出弁を開駆動するガス放出レバー(3)と、前記ガス放出ノズル(1)からその上方の炎口(4a)に出る燃料ガスを点火する点火機構(5a,5b)と、指によって駆動されて前記ガス放出レバー(3)をガス放出弁を開く方向に駆動する操作子(6,11)と、を備えるガスライタにおいて、
前記操作子(6,11)にロック位置とアンロック位置に移動可能に装備されロック位置において前記炎口(4a)に係合して前記操作子(6,11)の前記駆動を阻止しアンロック位置において前記炎口(4a)から外れて該阻止を解除するロック部材(7)、および、該ロック部材(7)を前記ロック位置に強制するばね部材(8a/8b)を含む安全機構(4a,7,8a/8b)、を備えることを特徴とするガスライタ。
【０００８】
なお、理解を容易にするために括弧内には、図面に示し後述する実施例の対応要素又は相当要素の記号を、例示として参考までに付記した。以下も同様である。
【発明の効果】
【０００９】
使用者が、安全機構(4a,7,8a/8b)のロック部材(7)をばね部材(8a/8b)の強制力に抗してアンロック位置に駆動すると、炎口(4a)に対するロック部材(7)の係合が外れて、操作子(6,11)が、ガス放出レバー(3)をガス放出弁を開く方向に、移動可能になる。そこで使用者が操作子(6,11)を操作してガス放出レバー(3)をガス放出弁を開く方向に駆動し点火機構(5a,5b)によってガス放出ノズル(1)から出る燃料ガスを点火すると、炎口(4a)から燃焼ガス炎(10)が発生する（図２，図４）。
【００１０】
人（例えば幼児又は年少者）が、ロック部材(7)をアンロック位置に動かすことなく、操作子(6,11)を動かそうとしても、ロック部材(7)が炎口(4a)に係合しているので、操作子(6,11)は動かない。燃料ガス放出弁が閉に留まってガス放出ノズル(1)からは燃料ガスが出ないので、燃焼ガス炎は発生しない。したがって不用意な操作に対する安全性が高い。炎口(4a)は比較的に大きく炎口(4a)がある部材(4)は比較的に強固であるので、ロック部材(7)のロックは強固にでき、安全機構(4a,7,8a/8b)は、操作子(6,11)に強い力が加わっても容易には破損しない、安全性が高いものにすることができる。
【図面の簡単な説明】
【００１１】
【図１】本発明の第１実施例のガスライタを示し、（ａ）は非使用状態（ロック状態）の正面方向の縦断面図、（ｂ）は外観の平面図、（ｃ）は使用直前のアンロック状態の正面方向の縦断面図である。
【図２】図１に示すガスライタの、使用状態の正面方向の縦断面図である。
【図３】本発明の第２実施例のガスライタを示し、（ａ）は非使用状態（ロック状態）の正面方向の縦断面図、（ｂ）は使用直前のアンロック状態の正面方向の縦断面図である。
【図４】図３に示すガスライタの、使用状態の正面方向の縦断面図である。
【発明を実施するための形態】
【００１２】
（２）操作子(6,11)は、回動上蓋(6)を含み；前記ロック部材(7)は、前記炎口(4a)の中心軸に対して直角方向に延びる軸(7a)に関して回動可能に支持され、前記炎口(4a)に対して挿脱する係合部(7b)を持ち；前記ばね部材(8a/8b)は、前記軸(7a)を中心に前記ロック部材(7)を、前記係合部(7b)を前記炎口(4a)に嵌め込む方向に回動強制する；上記（１）に記載のガスライタ。
【００１３】
（３）前記ロック部材(7)の、前記係合部(7b)が前記炎口(4a)から抜ける方向の回動と、前記操作子(6,11)の蓋開方向の回動とは、同方向（図２，図４上で時計方向）である上記（２）に記載のガスライタ。
【００１４】
（４）前記ロック部材(7)の、使用者がアンロック位置に駆動するときの指当て部（尾端）が、前記操作子(6,11)の、使用者がガス放出弁を開くために駆動するときの指当て部よりも突出した；上記（３）に記載のガスライタ。
【００１５】
（５）前記ばね部材は、板状部を持つばね(8a)である；上記（１）乃至（４）のいずれか１つに記載のガスライタ。
【００１６】
（６）前記ばね部材は、圧縮コイルスプリング(8b)である；上記（１）乃至（４）のいずれか１つに記載のガスライタ。
【００１７】
本発明の他の目的および特徴は、図面を参照した以下の実施例の説明より明らかになろう。
【実施例】
【００１８】
−第１実施例−
図１に示す第１実施例のガスライタには、液化燃料槽２があり、その内部には、第１ノズル２ａに燃焼ガスを送気する常閉弁である燃料ガス放出弁があり、第１ノズル２ａが上方に引き上げられると、燃料ガス放出弁が弁開となって、液化燃料槽２ａ内にある液化燃料の一部が気化して第１ノズル２ａから出る。第１ノズル２ａには、可撓性，弾力性がある絶縁体チューブ９を介して第２ノズル１がつながっている。圧電ユニット５ａを支持する中枠，上枠である火口部材４、および、操作子である上蓋６は、ピン６ａで一体に連結されている。第２ノズル１は金属製の中枠に固定されている。圧電ユニット５ａの一対の高電圧出力端の一方に火口部材４が電気的に接続され、第２ノズル１が、火口部材４に固定されているので該高電圧出力端の一方と同電位である。該高電圧出力端の他方に接続した電気リードの先端が放電電極５ｂであり、圧電ユニット５ａが高電圧を発生すると、電極５ｂ／ノズル１間に電気火花（放電スパーク）が発生する。
【００１９】
ガス放出レバー３の先端が第１ノズル２ａの下端に係合しており、ガス放出レバー３の、くの字形の跳ね上がりの尾端を、時計方向に廻すことにより、ガス放出レバー３の尾端がてこの原理で回動して、ガス放出レバー３の先端が第１ノズル２ａを上方に押し上げ、これにより燃料槽２内の燃料ガス放出弁が開き、燃料槽２内の液化燃料が気化して第１ノズル２ａ，絶縁体チューブ９および第２ノズル１を通って外気に流出する。
【００２０】
圧電ユニット５ａの頭部のスライダを上蓋６の支幹６ｂが押し下げると、該スライダを跨いでいるコ字型の当て金１１も同時に押し下げられ、該スライダがある程度降下すると当て金１１がガス放出レバー３を時計回りに回動駆動するので、液化燃料槽２ａの燃料ガス放出弁が開いて、第２ノズル１からその外部（チューブ９）に燃料ガスが流出する。更にスライダが降下すると、圧電ユニット４ａ内において、圧電素子がプランジャで打撃されて高電圧を発生し、電極５ｂ／ノズル１間に該高電圧が加わって、電極５ｂ／ノズル１間に電気火花が発生し、ノズル１から流出している燃料ガスが該電気火花で点火され、火口部材４の、第２ノズル１の上方に位置する炎口４ａから、ローソクの炎のような炎（図２の１０）が発生する。本実施例では、圧電ユニット５ａと電極５ｂの組合せが、点火機構である。
【００２１】
操作子である上蓋６の支幹６ｂは、ピン８を中心に回動可であり、上蓋６の時計廻りの回動によって、圧電ユニット４ａの頭部のスライダが押し下げられる。上蓋６には、安全機構のロック部材７が、炎口４ａの中心軸に対して直角方向に延びる軸７ａでそれを中心に回動可能に装着されている。
【００２２】
ロック部材７の先端（左端）には、炎口４ａに対して挿脱可能な係合部７ｂがあり、ロック部材７の、使用者がアンロック位置に駆動するときの指当て部である尾端（右端）は、上蓋６の、使用者がガス放出弁を開くために駆動するときの指当て部より上方に突出している。ロック部材７の該先端と尾端の間に前記軸７ａがある。ロック部材７の該尾端の下方に、Ｕ型の板ばね８ａがあって、ロック部材７を、軸７ａを中心に反時計廻りに回動強制している。すなわち、ロック部材７の先端の係合部７ｂが炎口４ａ内に進入したロック位置、にロック部材７を強制している。使用者がロック部材７の尾端を、板ばね８ａの反発力に抗して押し下げると、すなわちロック部材７を軸７ａを中心にアンロック位置に廻すと、ロック部材７の先端の係合部７ｂが炎口４ａの上方に出て、これにより上蓋６が横方向（時計回り）に回動可能（アンロック状態）となる。
【００２３】
図１の（ａ）に示すように、ロック部材７の、使用者がアンロック位置に駆動するときの指当て部である尾端は、上蓋６の、使用者がガス放出弁を開くために駆動するときの指当て部より上方に突出している。使用者は、図１の（ａ）に示すライタのケース本体を握って親指の腹をロック部材７の尾端上面に当てて、図１の（ｂ）に示すように、ロック部材７の尾端を押し下げることができる。
【００２４】
人例えば幼児又は年少者が、図１の（ａ）に示すロック部材７の略左半分すなわち軸７ａより左側の部分（上蓋６の中央部分）を押し下げようとしても、ロック部材７は火口部材４で下支持されているので、回動しない。すなわちロック位置に留まり、上蓋６は開かない。火口部材４は比較的に強固なブロックであるので、強い押しが加わっても変形や破損をしない。
【００２５】
使用者が、板ばね８ａの反発力に抗してロック部材７の尾端を押し下げるとロック部材７が軸７ａを中心に時計廻りに回動して、図１の（ｂ）に示すように、係合部７ｂが炎口４ａから外れる。使用者がロック部材７の尾端に更に強い力を加えると、ロック部材７の尾端が上蓋６の右端の上端面に当たって上蓋６を押し下げるので、上蓋６がピン６ａを中心に時計廻りに回動し、これによって第２ノズル１から燃料ガスが流出し始め、そして圧電ユニット５ａが高電圧を発生しこれによって電極５ｂ／ノズル１間に生じた電気火花によって燃料ガスが着火して、図２に示すように、炎口４ａの外に炎１０が発生する。ロック部材７の、アンロック位置への回動方向と、上蓋６の着火のための蓋開方向の回動とは、同方向（図２上で時計方向）であるので、使用者はライタを円滑に使用操作できる。
【００２６】
−第２実施例−
図３に第２実施例のガスライタを示す。このガスライタは、第１実施例の板ばね８ａを、圧縮コイルスプリング８ｂに変更したものである。その他は第１実施例のものと同様である。第２実施例のガスライタのロック部材７の尾端（右端）の下方に、圧縮コイルスプリング８ｂがあって、その反発力により、ロック部材７を、軸７ａを中心に反時計廻りに回動強制している。すなわち、ロック部材７の先端（左端）の係合部７ｂが炎口４ａ内に進入したロック位置、にロック部材７を強制している。使用者がロック部材７の尾端を、圧縮コイルスプリング８ｂの反発力に抗して押し下げると、すなわちロック部材７を軸７ａを中心にアンロック位置に廻すと、ロック部材７の先端の係合部７ｂが炎口４ａの上方に出て、これにより上蓋６が横方向（時計回り）に回動可能（アンロック状態）となる。
【００２７】
図３の（ａ）に示すように、ロック部材７の、使用者がアンロック位置に駆動するときの指当て部である尾端（右端）は、上蓋６の、使用者がガス放出弁を開くために駆動するときの指当て部より上方に突出している。使用者は、図３の（ａ）に示すライタのケース本体を握って親指の腹をロック部材７の尾端上面に当てて、図３の（ｂ）に示すように、ロック部材７の尾端を押し下げることができる。
【００２８】
人例えば幼児又は年少者が、図３の（ａ）に示すロック部材７の略左半分すなわち軸７ａより左側の部分（上蓋６の中央部分）を押し下げようとしても、ロック部材７は火口部材４で下支持されているので、回動しない。すなわちロック位置に留まり、上蓋６は開かない。火口部材４は比較的に強固なブロックであるので、強い押しが加わっても変形や破損をしない。
【００２９】
使用者が、圧縮コイルスプリング８ｂの反発力に抗してロック部材７の尾端を押し下げるとロック部材７が軸７ａを中心に時計廻りに回動して、図３の（ｂ）に示すように、係合部７ｂが炎口４ａから外れる。使用者がロック部材７の尾端に更に強い力を加えると、上蓋６がピン６ａを中心に時計廻りに回動し、これによって第２ノズル１から燃料ガスが流出し始め、そして圧電ユニット５ａが高電圧を発生しこれによって電極５ｂ／ノズル１間に生じた電気火花によって燃料ガスが着火して、図４に示すように、炎口４ａの外に炎１０が発生する。ロック部材７の、アンロック位置への回動方向と、上蓋６の着火のための蓋開方向の回動とは、同方向（図４上で時計方向）であるので、使用者はライタを円滑に使用操作できる。
【符号の説明】
【００３０】
１：第２ノズル
２：液化燃料槽
３：ガス放出レバー
４：火口部材
４ａ：炎口
５ａ：圧電ユニット
５ｂ：電極
６：上蓋
６ａ：ピン
６ｂ：支幹
７：ロック部材
７ａ：軸
７ｂ：係合部
８ａ：板ばね
８ｂ：圧縮コイルスプリング
９：チューブ
１０：燃焼ガス炎
【図１】
2011153773.tif 000003
【図２】
2011153773.tif 000004
【図３】
2011153773.tif 000005
【図４】
2011153773.tif 000006